(57)【要約】【課題】  人孔における管先の突き合わせ作業を容易に、または、人孔における管先の突き合わせ作業を省くことができる下水管用止水プラグ等を提供する。【解決手段】  下水管用止水プラグ１は、人孔７に接続する下水管２を閉じる蓋４と、蓋４に設けられ、蓋４により閉じられた下水管２内と人孔７内とを連通する連通穴１０とを備える。また、連通穴１０には、人孔７内で使用される管１１の２つの管先１２の内の一方の管先１２ａが差し込まれ、連通穴１０の内周縁１３は、ゴム製であって、一方の管先１２ａの外周面に密着することで、下水管２内を人孔７内に対して封止する。これにより、人孔７内に突出する他方の管先１２ｂは、連通孔１０に差し込まれた一方の管先１２ａを支点として自在に揺動することができる。このため、人孔７における管先１２ｂの突き合わせ作業を容易にすることができる。【選択図】図４
2014001515.tif 000002
【特許請求の範囲】
【請求項１】
人孔に接続する下水管を閉じる蓋と、
この蓋に設けられ、前記蓋により閉じられた前記下水管内と前記人孔内とを連通する連通穴とを備え、
この連通穴には、前記人孔内で使用される管の２つの管先の内の一方の管先が差し込まれ、
前記連通穴の内周縁は、ゴム製であって、前記一方の管先の外周面に密着することで、前記下水管内を前記人孔内に対して封止することを特徴とする下水管用止水プラグ。
【請求項２】
複数の下水管が接続する人孔内で使用される容器であって、
前記複数の下水管のそれぞれが止水プラグにより閉じられた状態で使用され、
前記複数の下水管の内の少なくとも２つの下水管のそれぞれを閉じる止水プラグには、前記下水管内と前記人孔内とを連通する管が設けられ、
前記それぞれの管は、管先が前記人孔内に突出して開口するように設けられ、
前記容器は、前記それぞれの管先が差し込まれる差込口を個別に有し、
前記それぞれの差込口は容器の内部空間と前記人孔内とを連通するように設けられ、
前記それぞれの差込口の内周縁は、ゴム製であって、前記それぞれの管先の外周面に密着することで、前記内部空間を前記人孔内に対して封止することを特徴とする接続容器。
【発明の詳細な説明】
【技術分野】
【０００１】
この発明は、主に、下水管用止水プラグに関するものである。
【背景技術】
【０００２】
従来から、人孔の耐震化工事のように、作業員が人孔に立ち入って作業を行う工事では、人孔への下水の流入を阻止するため、下水管の人孔への開口を下水管用止水プラグ（以下、プラグと略して呼ぶことがある。）により閉鎖する。
ところで、人孔に接続する下水管には、主に人孔に下水を流入させるための上流側下水管と、主に人孔から下水を流出させるための下流側下水管とが存在し、工事中でも、上流側下水管から下流側下水管に下水を流す必要がある。
【０００３】
このため、プラグには、閉じた下水管の内周と人孔とを連通する管部が設けられ、さらに、管部は、人孔側に管先が突出するように設けられている。そして、上流側、下流側下水管のそれぞれを閉じるプラグの管先同士の軸を合わせて管先同士を突き合わせ、継手により接続することにより、上流側下水管から下流側下水管に下水を流している（例えば、特許文献１参照。）。
しかし、人孔において管先同士を突き合わせる作業は、極めて煩雑であり、作業員にとって大きな負担となっている。
【先行技術文献】
【特許文献】
【０００４】
【特許文献１】特開２００５−１８０５６９号公報
【発明の概要】
【発明が解決しようとする課題】
【０００５】
この発明の目的は、人孔における管先の突き合わせ作業を容易にすること、または、人孔における管先の突き合わせ作業を省くことにある。
【課題を解決するための手段】
【０００６】
（請求項１の手段）
請求項１の手段によれば、下水管用止水プラグは、人孔に接続する下水管を閉じる蓋と、蓋に設けられ、蓋により閉じられた下水管内と人孔内とを連通する連通穴とを備える。また、連通穴には、人孔内で使用される管の２つの管先の内の一方の管先が差し込まれ、連通穴の内周縁は、ゴム製であって、一方の管先の外周面に密着することで、下水管内を人孔内に対して封止する。
【０００７】
これにより、人孔内に突出する他方の管先は、連通孔に差し込まれた一方の管先を支点として自在に揺動することができる。
このため、人孔における管先の突き合わせ作業を容易にすることができる。
【０００８】
（請求項２の手段）
請求項２の手段によれば、接続容器は、複数の下水管が接続する人孔内で使用され、複数の下水管のそれぞれが止水プラグにより閉じられた状態で使用される。また、複数の下水管の内の少なくとも２つの下水管のそれぞれを閉じる止水プラグには、下水管内と人孔内とを連通する管が設けられ、それぞれの管は、管先が人孔内に突出して開口するように設けられる。また、接続容器は、それぞれの管先が差し込まれる差込口を個別に有し、それぞれの差込口は容器の内部空間と人孔内とを連通するように設けられ、それぞれの差込口の内周縁は、ゴム製であって、それぞれの管先の外周面に密着することで、内部空間を人孔内に対して封止する。
【０００９】
これにより、接続容器のそれぞれの差込口に、それぞれの管先を差し込むことで、管先同士の軸を略一致させなくとも上流側下水管から下流側下水管に下水を人孔に漏出させずに流すことができる。
このため、人孔における管先の突き合わせ作業を省くことができる。
【図面の簡単な説明】
【００１０】
【図１】（ａ）下水管用止水プラグの押圧部変形前の縦断面図、（ｂ）下水管用止水プラグの押圧部変形前の正面図、（ｃ）下水管用止水プラグの押圧部変形前の合口拡大図である（実施例１）。
【図２】（ａ）下水管用止水プラグの押圧部変形後の縦断面図、（ｂ）下水管用止水プラグの押圧部変形後の正面図、（ｃ）下水管用止水プラグの押圧部変形後の合口拡大図である（実施例１）。
【図３】管差し込み前の下水管用止水プラグの縦断面図である（実施例１）。
【図４】管差し込み後の下水管用止水プラグの縦断面図である（実施例１）。
【図５】人孔内で管先の接続された状態図である（実施例１）。
【図６】人孔内での接続容器の使用状態図である（実施例２）。
【図７】（ａ）接続容器の縦断面図、（ｂ）正面図である（実施例２）。
【図８】接続容器の使用された人孔の横断面図である（変形例）。
【００１１】
実施形態１の下水管用止水プラグは、人孔に接続する下水管を閉じる蓋と、蓋に設けられ、蓋により閉じられた下水管内と人孔内とを連通する連通穴とを備える。また、連通穴は、人孔内で使用される管の２つの管先の内の一方の管先が差し込まれ、管先の外周面に密着するゴム製の内周縁を有する。
【００１２】
実施形態２の接続容器は、複数の下水管が接続する人孔内で使用され、複数の下水管のそれぞれが止水プラグにより閉じられた状態で使用される。また、複数の下水管の内の少なくとも２つの下水管のそれぞれを閉じる止水プラグには、下水管内と人孔内とを連通する管が設けられ、それぞれの管は、管先が人孔内に突出して開口するように設けられる。また、接続容器は、それぞれの管先が差し込まれる差込口を個別に有し、それぞれの差込口は容器の内部空間と人孔内とを連通するように設けられ、それぞれの管先の外周面に密着するゴム製の内周縁を有する。
【実施例】
【００１３】
［実施例１の構成］
実施例１の下水管用止水プラグを図１〜図５に基づいて説明する。
下水管用止水プラグ（以下、プラグ１と呼ぶ。）は、下水管２内を閉じる蓋４と、蓋４の周縁４ａと下水管２の内周面５との間を封止する封止手段６とを備える。そして、プラグ１は、人孔７の耐震化工事のように、作業員が人孔７に立ち入って作業を行う工事において、下水管２の人孔７への開口を閉鎖して人孔７への下水の流入を阻止するために利用される。
【００１４】
ところで、人孔７に接続する下水管２には、主に人孔７に下水を流入させるための上流側下水管２αと、主に人孔７から下水を流出させるための下流側下水管２βとが存在し、工事中でも、上流側下水管２αから下流側下水管２βに下水を流す必要がある。
そこで、蓋４は、人孔７への下水の流入を阻止しながらも上流側下水管２αから下流側下水管２βに下水を流すため、以下のような構成を具備している。
【００１５】
蓋４は、閉じた下水管２内と人孔７内とを連通する連通穴１０とを備える。また、連通穴１０には、人孔７内で使用される管１１の２つの管先１２の内の一方の管先１２ａが差し込まれる。そして連通穴１０の内周縁１３は、差し込まれた管先１２ａの外周面に密着することができるようにゴム製となっている。
【００１６】
すなわち、蓋４は、中央に円形の穴４ｄが開口する金属製環状板である蓋本体４ｃと、同様に中央に円形の穴１５ｄが開口するゴム製環状板１５と、ゴム製環状板１５を蓋本体４ｃに固定する固定具１６とを有し、穴１５ｄは穴４ｄより小径である。ここで、ゴム製環状板１５は、穴１５ｄの中心と穴４ｄの中心とが略一致するように蓋本体４ｃに固定される。そして、ゴム製環状板１５を蓋本体４ｃに固定した状態における穴１５ｄが連通穴１０となる。
【００１７】
これにより、管先１２ａを、図３、４に示すように、下水管２の手前側から奥側に向って、連通穴１０に対して差し込むことにより、内周縁１３は、奥側に変位して管先１２ａの外周面に密着する。
なお、管先１２ａの外周面には、差込時に発生する内周縁１３と管先１２ａとの間の摩擦抵抗を低減するための滑材を塗布することが望ましい。
【００１８】
なお、固定具１６は、例えば、ボルト１６ａ、ナット１６ｂ、および円環状の押さえ板１６ｃを備える。押さえ板１６ｃは、ゴム製環状板１５および蓋本体４ｄと中心が略一致するようにゴム製環状板１５の表面に配置される。また、ボルト１６ａ、ナット１６ｂは、例えば、周方向に４５度間隔で８個配され、ボルト１６ａの軸部は全て押さえ板１６ｃ、および蓋本体４ｃを貫通している、これにより、ナット１６ｂをボルト１６ａの軸部に螺子締結することで、ゴム製環状板１５を蓋本体４ｃに固定することができる。また、ナット１６ｂとゴム製環状板１５との間に押さえ板１６ｃを配置することで、螺子締結力を周方向に分散して均一化している。
【００１９】
管１１は、他方の管先１２ｂの先端にフランジ１７を有する。そして、例えば、図５に示すように、上流側、下流側下水管２α、２βのそれぞれを閉じるプラグ１の連通穴１０に、管１１を差し込み、それぞれの管先１２ｂ同士の軸を合わせる。さらに、それぞれの管先１２ｂのフランジ１７同士を突き合わせて螺子締結する。
これにより、人孔７への下水の流入を阻止しながら、上流側下水管２αから下流側下水管２βに下水を流すことができる。
【００２０】
封止手段６は、以下に説明するゴム製筒状部１８、螺子保持部１９、押圧部２０を備える。
ゴム製筒状部１８は、下水管２の内周面５に密着するものであり、内径が蓋４の径にほぼ等しい。ゴム製筒状部１８は、周知の締結バンド２１によって、ゴム製筒状部１８の軸方向一端部と螺子保持部１９とが締結され、螺子保持部１９の外周面１９ａとゴム製筒状部１８の内周面１８ａが密着している。また、ゴム製筒状部１８は、軸方向の長さが螺子保持部１９の軸方向の長さにほぼ等しくなっている。
【００２１】
螺子保持部１９は、ゴム製筒状部１８の内周側に配され、径方向に貫通する螺子穴２２を、例えば、周方向に４５°間隔で８個有する環状体であって、螺子穴２２のそれぞれに螺合する螺子２３を保持している。また、螺子保持部１９は、蓋４と一体に成形された一つの有底円筒体２４であり、有底円筒体２４の筒が螺子保持部１９であり、有底円筒体２４の底部が蓋４である。
【００２２】
押圧部２０は、ゴム製筒状部１８の内周側、かつ、螺子保持部１９の外周側に、すなわち、ゴム製筒状部１８と螺子保持部１９とにより径方向に挟まれている。また、押圧部２０は、ゴム製筒状部１８の軸方向の他方側に配され、螺子保持部１９から外周側へ突出した螺子２３の先端２３ａにより外周側に押圧されて変形する。そして、押圧部２０は、外周側に変形することにより、ゴム製筒状部１８を外周側に押圧し、下水管２の内周面５に密着させる。
ここで、押圧部２０は、先端２３ａがゴム製筒状部１８を押圧する力を周方向に分散させるものであり、ゴム製筒状部１８への先端２３ａの食い込みを防ぐものである。
【００２３】
押圧部２０は、例えば、金属製の環状体であり、図１（ｃ）、図２（ｃ）に示すよう拡径可能となるように合口２５が形成されている。合口２５は、押圧部２０の周方向に突出する凸部２６と、周方向に窪む凹部２７とからなり、凹部２７に凸部２６が嵌合している。そして、押圧部２０は、外周側に変形することにより、凸部２６が凹部２７に嵌合したまま凸部２６と凹部２７が周方向に相対的に離間する。すなわち、凸部２６の先端と凹部２７の底との間の周方向の距離は、押圧部２０の外周側への変形に伴って大きくなる。
【００２４】
そして、プラグ１を、図２（ａ）に示すように、軸方向に関して蓋４のある側が下水管２の奥側に位置するように下水管２内に挿入し、手前側に螺子保持部１９を配置する。この状態で螺子２３を締め付けることで、螺子２３の先端２３ａにより押圧部２０を、外周側に押圧して拡径させる。これにより、ゴム製筒状部１８は、押圧部２０により外周側に押圧され下水管２の内周面５の全周において密着し、下水管２を封止する。
【００２５】
［実施例１の効果］
実施例１のプラグ１によれば、内周縁１３はゴム製であるため、内周縁１３を管先１２ａに密着させたまま、管先１２ａを支点として管先１２ｂを、自在に揺動させることができる。
これにより、図５に示すように、上流側、下流側下水管２α、２βのそれぞれを閉じるプラグ１の連通穴１０に差し込まれたそれぞれの管１１の軸が略一致していなくとも、管先１２ｂ同士の軸合わせが容易になる。このため、フランジ１７同士の突き合わせ作業が容易になる。
【００２６】
［実施例２の構成］
実施例２の接続容器を図６、７に基づいて説明する。
なお、実施例２においては、実施例１の説明と同一符号を用いる。
接続容器３１は、実施例１とは異なる態様で、管１１を用いて上流側下水管２αから下流側下水管２βへ下水を流すために利用される。また、実施例２で使用されるプラグ１は、実施例１と同じ構成であり、実施例１と同様に連通穴１０に管先１２ａを差し込んで使用される。
なお、実施例２で使用される管１１は、管先１２ｂの先端にフランジ１７が設けられていない。
【００２７】
接続容器３１は、人孔７内で上流側の管先１２ｂと下流側の管先１２ｂとを連結し、上流側の管１１と下流側の管１１を接続するものである。ここで、接続容器３１には、上流側、下流側それぞれの管先１２が差し込まれる差込口３３が１個ずつ形成されている。また、それぞれの差込口３３は、接続容器３１の内部空間３２と人孔７とを連通する。これにより、それぞれの差込口３３に管先１２を差し込むことで、下水は、上流側の管１１から内部空間３２に流入し、内部空間３２から下流側の管１１に流出する。このため、人孔７への下水の流入を阻止しながら、上流側下水管２αから下流側下水管２βに、接続容器３１を介して下水を流すことができる。
【００２８】
以下、接続容器３１の具体的な形態を説明する。接続容器３１は、図７に示すように金属製円筒の軸方向の両端を、金属製の環状板３４により閉じた円筒金属体を主体とする。
ここで、環状板３４には、中央に円形の穴３４ｄが開口している。そして、実施例１の蓋本体４ｃと同様に、環状板３４に、ゴム製環状板１５が固定され、ゴム製環状板１５の穴１５ｄが差込口３３となり、差込口３３の内周縁３９がゴム製となる。
【００２９】
ここで、上流側、下流側のそれぞれの管１１と接続容器３１との接続方法の一例を示す。
まず、上流側下水管２αにプラグ１を固定して、連通穴１０に管１１を差し込む。そして、接続容器３１を上流側の管先１２ｂに向って移動させ、一方の差込口３３に上流側の管１２ｂを差し込む。これにより、上流側の管１１と接続容器３１とが接続される。
【００３０】
次に、下流側下水管２βにプラグ１を固定して、連通穴１０に管１１を差し込む。そして、接続容器３１を下流側の管先１２ｂに向って移動させ、他方の差込口３３に下流側の管１２ｂを差し込む。これにより、上流側の管１１と接続容器３１とが接続される。このとき、内部空間３２は人孔７に対して封止され、液密性を保っている。
なお、上流側、下流側のそれぞれの管先１２ｂの外周面には、それぞれの内周縁３９との間の摩擦抵抗を低減するための滑材を塗布することが望ましい。
【００３１】
［実施例２の効果］
実施例２の接続容器３１によれば、それぞれの差込口３３に、上流側、下流側の管先１２ｂを差し込むことで、それぞれの管先１２ｂ同士を連結でき、上流側の管１１と下流側の管１１を接続することができる。このため、管先１２ｂ同士の軸を略一致させなくとも上流側下水管２αから下流側下水管２βに下水を人孔７内に漏出させずに流すことが可能となる。
この結果、人孔７における管先１２ｂ同士の突き合わせ作業を省くことができる。
なお、接続容器３１へ管先１２ｂを差し込む作業でも、接続容器３１と管先１２ｂとの軸を合わせる必要はないので、軸合わせの作業は全く不要である。
【００３２】
［変形例］
本発明は、その要旨を逸脱しない範囲で様々な変形例を考えることができる。
実施例２によれば、管１１をプラグ１の連通穴１９に差し込んで使用していたが、管１１とプラグ１とを一体成型し、管１１とプラグ１とを剛接合としてもよい。
実施例１、２によれば、封止手段６は、ゴム製筒状部１８、螺子保持部１９、および押圧部２０を備えるものであったが、封止手段６の態様はこのようなものに限定されない。例えば、流体の封入された中空構造のＯリングを軸方向に押圧することでＯリング外周部を拡径させ、下水管２の内周面５にＯリング外周部を全周にわたって密着させる封止手段を用いてもよい。
実施例２によれば、接続容器３１は、円筒金属体を主体とするものであったが、このような形態に限定されず、例えば角筒金属体を用いてもよい。
また、実施例２によれば、接続容器３１は、２つの管１１が接続されるものであったが、このような接続態様に限定されるものではなく、例えば図８に示すように、３つの管１１を接続する構成としてもよい。
【符号の説明】
【００３３】
１      下水管用止水プラグ（プラグ）
２      下水管
４      蓋
７      人孔
１０      連通穴
１１      管
１２      管先
１２ａ    管先
１３      内周縁
【図１】
2014001515.tif 000003
【図２】
2014001515.tif 000004
【図３】
2014001515.tif 000005
【図４】
2014001515.tif 000006
【図５】
2014001515.tif 000007
【図６】
2014001515.tif 000008
【図７】
2014001515.tif 000009
【図８】
2014001515.tif 000010